(57)【要約】【課題】サーモスイッチのオン／オフ如何に拘わらず水道凍結防止ヒータの断線有無のチェックが可能な水道凍結防止装置の提供。【解決手段】水道凍結防止装置１は、水道凍結防止ヒータ２１に対して並列に接続された通電表示用発光ダイオードＬ１と、電源プラグ１１からの第１の給電ライン１３と接続された共通接点端子１５ａ，通電表示用発光ダイオードＬ１のアノードと感温スイッチ１６を介して接続された常閉接点端子１５ｂ及び通電表示用発光ダイオードＬ１のアノードと断線表示用発光ダイオードＬ２を介して接続された常開接点端子１５ｃを持つ自動切り換え式の切り換えスイッチ１５とを有し、通電表示用発光ダイオードＬ１のアノードと断線表示用発光ダイオードＬ２のアノードとが接続している。【選択図】      図１
2015014172.tif 000002
【特許請求の範囲】
【請求項１】
水道凍結防止ヒータに対して並列接続であって一方の電極が電源プラグの一方の端子と接続された第１の発光ダイオードと、前記電源プラグの他方の端子と接続された共通接点端子，前記第１の発光ダイオードの他方の電極と感温スイッチを介して接続された常閉接点端子及び前記第１の発光ダイオードの他方の電極と第２の発光ダイオードを介して接続された常開接点端子を持つ自動切り換え式の切り換えスイッチとを有し、前記第１発光ダイオードとこの他方の電極に接続する前記第２の発光ダイオードはアノード同士又はカソード同士が接続していることを特徴とする水道凍結防止装置。
【請求項２】
水道凍結防止ヒータに対して並列接続であって一方の電極が電源プラグの一方の端子と接続された第１の発光ダイオードと、電源プラグの他方の端子と感温スイッチを介して接続された常閉接点端子，前記電源プラグの他方の端子と第２の発光ダイオードを介して接続された常開接点端子及び前記第１の発光ダイオードの他方の電極と接続された共通接点端子を持つ自動切り換え式の切り換えスイッチとを有し、この切り換えスイッチを操作して前記常開接点端子と前記共通接点端子との導通状態において前記第１及び第２の発光ダイオードのアノード同士又はカソード同士が接続していることを特徴とする水道凍結防止装置。
【請求項３】
請求項１又は請求項２に記載の水道凍結防止装置において、前記自動切り換え式の切り換えスイッチは押しボタンスイッチのメイク接点と押しボタンスイッチのブレイク接点とから成ることを特徴とする水道凍結防止装置。
【請求項４】
請求項１乃至請求項３のいずれか一項に記載の水道凍結防止装置において、前記第１の発光ダイオードに対して並列に接続されて前記感温スイッチに近接配置された模擬発熱抵抗を備え、この模擬発熱抵抗に対し直列に接続された整流ダイオードを有し、この整流ダイオードと前記第１の発光ダイオードとののアノード同士又はカソード同士が接続していることを特徴とする水道凍結防止装置。
【発明の詳細な説明】
【技術分野】
【０００１】
本発明は、水道凍結防止ヒータの断線有無と感温スイッチの通電有無を検出できる水道凍結防止装置に関する。
【背景技術】
【０００２】
水道凍結防止装置のうち、水道凍結防止ヒータの断線有無と感温スイッチの通電状態を検出できる水道凍結防止装置としては、図５に示す如く、特許文献１に開示されたものが知られている。この水道凍結防止装置は、水道管を加熱するための水道凍結防止ヒータＲと、電源プラグＰから水道凍結防止ヒータＲに電力を供給するために水道凍結防止ヒータＲの両端に接続された第１の給電ライン５及び第２の給電ライン６と、第１の給電ライン５に介挿された感温スイッチ（サーモスイッチ）ＴＨと、感温スイッチＴＨと水道凍結防止ヒータＲとの間の位置にカソードが接続されている発光ダイオードＬと、第２の給電ライン６に一端７ｂ側が接続された抵抗７と、電源プラグＰと感温スイッチＴＨとの間に一端８ｂ側が接続された抵抗８と、発光ダイオードＬのアノードに接続された共通接点端子９ｃ，抵抗７の他端７ａに接続された常閉接点端子９ｂ及び抵抗８の他端８ａに接続された常開接点端子９ａを持つ切り換えスイッチ（ｃ接点）９とから成る。なお，Ｄ１は整流ダイオードである。
【０００３】
感温スイッチＴＨは、寒冷期などの低温下において例えば３℃以下になると、オフ状態からオン状態となり、また春期から秋期などの温暖下において例えば１０℃以上になると、オフ状態となるように動作するものである。
【０００４】
この感温スイッチＴＨのオフ時においては、感温スイッチＴＨ及び切り換えスイッチ９は図５に示す状態にあるため、水道凍結防止ヒータＲ及び発光ダイオードＬへは電流が流れず、発光ダイオードＬは消灯状態となっている。ここで切り換えスイッチ９を操作して共通接点端子９ｃを常開接点端子９ａに接続すると、水道凍結防止ヒータＲに断線がない場合、電源プラグＰからの電流が、抵抗８，切り換えスイッチ９，整流ダイオードＤ１，発光ダイオードＬ，第１の給電ライン５，水道凍結防止ヒータＲ，第２の給電ライン６を介して電源プラグＰへ流れることになるので、発光ダイオードＬが点灯する。水道凍結防止ヒータＲに断線がある場合には上記経路に電流が流れないので、発光ダイオードＬは点灯せず消灯状態である。従って、温暖期などのサーモスイッチＴＨのオフ時において切り換えスイッチ９を操作して発光ダイオードＬが点灯するか否かを視認することで、水道凍結防止ヒータＲの断線有無のチェックが可能となっている。即ち、温暖期においては発光ダイオードＬが断線表示ランプの機能を果している。
【０００５】
他方、感温スイッチＴＨのオン時においては、電源プラグＰからの電流が、抵抗７，切り換えスイッチ９，整流ダイオードＤ１，発光ダイオードＬ，感温スイッチＴＨを介して電源プラグ３へ流れるので、発光ダイオードＬが点灯すると共に、電熱体Ｒへも電流が流れて水道凍結防止ヒータＲが発熱する。従って、寒冷期などの感温スイッチＴＨのオン時において、発光ダイオードＬの点灯を視認することで、感温スイッチＴＨのオン状態を知ることができる。この寒冷期においては感温スイッチＴＨがオン状態となるので、切り換えスイッチ９を操作して共通端子９ｃを常開端子９ａに接続すると、発光ダイオードＬの両端間電圧が無くなるので、発光ダイオードＬが消灯する。
【先行技術文献】
【特許文献】
【０００６】
【特許文献１】特開２００４−２７８２６（図１）
【発明の概要】
【発明が解決しようとする課題】
【０００７】
寒冷期など水道凍結防止ヒータＲの発熱が必須な時期において、感温スイッチＴＨがオン状態となっている場合、発熱体Ｒの断線有無に拘わらず、電源プラグＰからの電流が、抵抗７，切り換えスイッチ９，整流ダイオードＤ１，発光ダイオードＬ，感温スイッチＴＨを介して電源プラグＰへ流れ込む電流経路が生じているため、発光ダイオードＬが点灯し、感温スイッチ６のオン状態（通電状態）を知ることができるものの、切り換えスイッチ９を操作しても発光ダイオードＬが消灯するだけであり、感温スイッチＴＨがオン状態である寒冷期においては発熱体Ｒの断線有無は検出不可能であった。従って、感温スイッチＴＨがオフ状態である温暖期において切り換えスイッチ９の操作による水道凍結防止ヒータＲの断線有無のチェックを怠ると、寒冷期においては断線チェックが事実上困難であるため、水道管の凍結事故を招き易い。また、寒冷期においては感温スイッチＴＨがオン状態で発光ダイオードＬが点灯しているため、この感温スイッチ６のオン状態の点灯表示を電熱体２の断線無しの点灯表示と誤認混同し易くもあり、却って水道管の凍結事故を招き易い。
【０００８】
そこで、上記問題点に鑑み、本発明の第１の課題は、感温スイッチのオン／オフ如何に拘わらず水道凍結防止ヒータの断線有無のチェックが可能な水道凍結防止装置を提供することにある。本発明の第２の課題は、水道凍結防止ヒータの断線有無表示と感温スイッチの通電有無表示との誤認を招き難い水道凍結防止装置を提供することにある。
【課題を解決するための手段】
【０００９】
本発明の第１の手段に係る水道凍結防止装置は、水道凍結防止ヒータに対して並列接続であって一方の電極が電源プラグの一方の端子と接続された第１の発光ダイオードと、電源プラグの他方の端子と接続された共通接点端子，第１の発光ダイオードの他方の電極と感温スイッチを介して接続された常閉接点端子及び第１の発光ダイオードの他方の電極と第２の発光ダイオードを介して接続された常開接点端子を持つ自動切り換え式の切り換えスイッチとを有し、第１発光ダイオードとこの他方の電極に接続する第２の発光ダイオードはアノード同士又はカソード同士が接続していることを特徴とする。
温暖期においては感温スイッチがオフ状態であり、水道凍結防止ヒータ及び第１の発光ダイオードに対しては給電されていないので、水道凍結防止ヒータは発熱しておらず、第１の発光ダイオードは消灯状態である。ここで、切り換えスイッチを操作して共通接点端子と常開接点端子とを接続すると、水道凍結防止ヒータに断線がないときは、水道凍結防止ヒータに対しては第２の発光ダイオードを介して給電されるため、第２の発光ダイオードが点灯し、水道凍結防止ヒータに断線があるときは第２の発光ダイオードが点灯せずに消灯状態である。なお、切り換えスイッチを操作した際、水道凍結防止ヒータを介して第２の発光ダイオードに電流が流れても、第１発光ダイオードとこの他方の電極に接続する第２の発光ダイオードはアノード同士又はカソード同士が接続しているため、第１の発光ダイオードには電流が流れず消灯状態のままである。従って、温暖期において切り換えスイッチを操作して第２の発光ダイオードの点灯又は消灯を視認することで、水道凍結防止ヒータの断線有無をチェックすることができる。
【００１０】
他方、寒冷期においては感温スイッチがオン状態となり、水道凍結防止ヒータ及び第１の発光ダイオードに対して感温スイッチを介して給電されるので、第１の発光ダイオードは点灯し、水道凍結防止ヒータが発熱することになる。ここで、切り換えスイッチを操作して共通接点端子と常開接点端子とを接続すると、感温スイッチを介して水道凍結防止ヒータに給電される代わりに、第２の発光ダイオードを介して給電されることになるため、水道凍結防止ヒータに断線がないときは第２の発光ダイオードが点灯し、水道凍結防止ヒータに断線があるときは第２の発光ダイオードが点灯せず消灯状態となっている。なお、切り換えスイッチを操作した際、水道凍結防止ヒータを介して第２の発光ダイオードに電流が流れても、第１発光ダイオードとこの他方の電極に接続する第２の発光ダイオードはアノード同士又はカソード同士が接続しているため、第１の発光ダイオードには電流が流れないので、点灯状態から消灯する。従って、寒冷期においても切り換え接点を操作して第２の発光ダイオードの点灯又は消灯を視認することで、水道凍結防止ヒータの断線有無をチェックすることができる。そして切り換え接点を操作しない場合は、感温スイッチのオン／オフに応じて第１の発光ダイオードが点灯又は消灯するので、感温スイッチの通電有無をチェックすることができる。
【００１１】
上記第１手段における切り換えスイッチの介挿位置は電源プラグと感温スイッチ及び第２の発光ダイオードとの中間であったが、第２手段における切り換えスイッチの介挿位置は感温スイッチ及び第２の発光ダイオードと第１の発光ダイオードの他方の電極との中間とすることができる。即ち、第２の手段に係る水道凍結防止装置は、水道凍結防止ヒータに対して並列接続であって一方の電極が電源プラグの一方の端子と接続された第１の発光ダイオードと、電源プラグの他方の端子と感温スイッチを介して接続された常閉接点端子，電源プラグの他方の端子と第２の発光ダイオードを介して接続された常開接点端子及び第１の発光ダイオードの他方の電極と接続された共通接点端子を持つ自動切り換え式の切り換えスイッチとを有し、この切り換えスイッチを操作して常開接点端子と共通接点端子との導通状態において前記第１及び第２の発光ダイオードのアノード同士又はカソード同士が接続していることを特徴とする。この第２手段においても第１手段と同様な作用効果を奏する。
【００１２】
ここで、切り換えスイッチは押しボタンスイッチのメイク接点と押しボタンスイッチのブレイク接点とから成る構成を採用できる。
【００１３】
そして、上記の各手段において、水道凍結防止ヒータに対し並列に接続されて感温スイッチに近接配置された模擬発熱抵抗を備えていることが望ましい。外気温度に近い感温スイッチの環境温度に感応して模擬発熱抵抗がオンすることは勿論であるが、感温スイッチがオフするのは、外気温度に直接感応するのではなく、感温スイッチの近傍では模擬発熱抵抗が水道凍結防止ヒータの発熱と同時に発熱しているために、その模擬発熱抵抗の発熱による感温スイッチの環境温度に感応するものであり、このため、感温スイッチのオン期間が間欠的に小刻みとなり、水道凍結防止ヒータの消費電力の大幅低減を図ることができる。ここで、模擬発熱抵抗に対し直列に接続された整流ダイオードを有し、この整流ダイオードと第１の発光ダイオードとのアノード同士又はカソード同士が接続していることが望ましい。切り換えスイッチを操作した際、模擬発熱抵抗を介して第２の発光ダイオードに電流が流れるのを整流ダイオードで阻止でき、断線のない水道凍結防止ヒータを介してのみ第２の発光ダイオードを点灯させることができる。
【発明の効果】
【００１４】
本発明によれば、切り換えスイッチの介挿位置の工夫により感温スイッチのオン／オフ如何に拘わらず水道凍結防止ヒータの断線有無のチェックが可能であり、また第１の発光ダイオードと第２の発光ダイオードの併設により、水道凍結防止ヒータの断線有無表示と感温スイッチの通電有無表示との誤認を無くすことができる。
【図面の簡単な説明】
【００１５】
【図１】本発明の第１実施形態に係る水道凍結防止装置を示す回路図である。
【図２】本発明の第２実施形態に係る水道凍結防止装置を示す回路図である。
【図３】本発明の第３実施形態に係る水道凍結防止装置を示す回路図である。
【図４】本発明の第４実施形態に係る水道凍結防止装置を示す回路図である。
【図５】従来の水道凍結防止装置を示す回路図である。
【発明を実施するための形態】
【００１６】
次に、本発明の実施形態を添付図面に基づいて説明する。
【００１７】
（第1実施形態）図１は本発明の第１実施形態に係る水道凍結防止装置を示す回路図である。本例の水道凍結防止装置１は、電源プラグ１１と雌コネクター１２とを接続する第１及び第２の給電ライン１３（１４）の中途位置において後述する各種電子部品を実装したコントローラケース（図示せず）を持つ水道凍結防止ヒータ用節電コントローラ１０と、長尺状の水道凍結防止ヒータ２１の端部に雌コネクター１２に接続する雄コネクター２２を持つ水道凍結防止帯２０と有する。
【００１８】
水道凍結防止ヒータ用節電コントローラ１０は、水道凍結防止ヒータ２１に対して並列に接続された通電表示用発光ダイオードＬ１と、電源プラグ１１の一方の端子からの第１の給電ライン１３と接続された共通接点端子１５ａ，通電表示用発光ダイオードＬ１のアノードと感温スイッチ１６を介して接続された常閉接点端子１５ｂ及び通電表示用発光ダイオードＬ１のアノードと断線表示用発光ダイオードＬ２を介して接続された常開接点端子１５ｃを持つ自動切り換え式の切り換えスイッチ（ｃ接点）１５と、通電表示用発光ダイオードＬ１に対して並列に接続されて感温スイッチ１６に近接配置された模擬発熱抵抗１７を備えている。通電表示用発光ダイオードＬ１のカソードは電流制限抵抗Ｒ１を介して第２の給電ライン１４に接続されている。また、断線表示用発光ダイオードＬ２は電流制限抵抗Ｒ２を介して通電表示用発光ダイオードＬ１のアノードに接続されている。電流制限抵抗Ｒ１は通電表示用発光ダイオードＬ１のカソード側に接続されているが、アノード側に接続しても構わない。また、電流制限抵抗Ｒ２は断線表示用発光ダイオードＬ２のカソード側に接続されているが、アノード側に接続しても構わない。なお、図１に示す通電表示用発光ダイオードＬ１と断線表示用発光ダイオードＬ２との向きを逆にして、通電表示用発光ダイオードＬ１のカソードと断線表示用発光ダイオードＬ２のカソードとを接続しても構わない。そして、模擬発熱抵抗１７には整流ダイオードＤが直列に接続されており、この整流ダイオードＤの向きはこれと並列の通電表示用発光ダイオードＬ１の向きと同じである。この整流ダイオードＤのアノード側に模擬発熱抵抗１７が接続されているが、カソード側に接続しても構わない。
【００１９】
温暖期においては、図１に示す如く、感温スイッチ１６がオフ状態であり、水道凍結防止ヒータ２１及び断線表示用発光ダイオードＬ１に対しては給電されていないので、水道凍結防止ヒータ１２は発熱しておらず、通電表示用発光ダイオードＬ１は消灯状態である。ここで、切り換えスイッチ１５を操作して共通接点端子１５ａと常開接点端子１５ｃとを接続すると、水道凍結防止ヒータ２１に対しては断線表示用発光ダイオードＬ２を介して給電されるため、水道凍結防止ヒータ２１に断線がないときは断線表示用発光ダイオードＬ２が点灯し、水道凍結防止ヒータ２１に断線があるときは断線表示用発光ダイオードＬ２が点灯せずに消灯のままである。なお、切り換えスイッチ１５を操作した際、水道凍結防止ヒータ２１を介して断線表示用発光ダイオードＬ２に電流が流れても、通電表示用発光ダイオードＬ１のアノードと断線表示用発光ダイオードＬ２のアノードが接続しているため、通電表示用発光ダイオードＬ１には電流は流れず、消灯状態のままである。従って、温暖期において切り換えスイッチ１５を操作して断線表示用発光ダイオードＬ２の点灯又は消灯を視認することで、水道凍結防止ヒータ２１の断線有無をチェックすることができる。
【００２０】
他方、寒冷期においては感温スイッチ１６がオン状態となり、水道凍結防止ヒータ２１及び通電表示用発光ダイオードＬ１に対して感温スイッチ１６を介して給電されるので、通電表示用発光ダイオードＬ１が点灯し、水道凍結防止ヒータ２１が発熱することになる。ここで、切り換えスイッチ１５を操作して共通接点端子１５ａと常開接点端子１５ｃとを接続すると、感温スイッチ１６を介して水道凍結防止ヒータ２１へ給電される代わりに、断線表示用発光ダイオードＬ２を介して給電されることになるため、水道凍結防止ヒータ２１に断線がないときは断線表示用発光ダイオードＬ２が点灯し、水道凍結防止ヒータ２１に断線があるときは断線表示用発光ダイオードＬ２が点灯せず消灯状態となっている。なお、切り換えスイッチ１５を操作した際、水道凍結防止ヒータ２１を介して断線表示用発光ダイオードＬ２に電流が流れても、通電表示用発光ダイオードＬ１のアノードと断線表示用発光ダイオードＬ２のアノードが接続しているため、感温スイッチがオン状態でも通電表示用発光ダイオードＬ１には電流は流れないので、点灯状態から消灯する。従って、寒暖期においても切り換えスイッチ１５を操作して断線表示用発光ダイオードＬ２の点灯又は消灯を視認することで、水道凍結防止ヒータ２１の断線有無をチェックすることができる。そして切り換えスイッチ１５を操作しない場合は、感温スイッチ１６のオン／オフに応じて通電表示用発光ダイオードＬ１が点灯又は消灯するので、水道凍結防止ヒータ２１への通電有無をチェックすることができる。
【００２１】
本例においては、通電表示用発光ダイオードＬ１に並列接続した模擬発熱抵抗１７が感温スイッチ１６に近接配置されているため、感温スイッチ１６がオフするのは、外気温度に直接感応するのではなく、模擬発熱抵抗１７が水道凍結防止ヒータ２１の発熱と同時に発熱しているために、その模擬発熱抵抗１７の発熱による感温スイッチ１６の環境温度に感応するものであり、このため、感温スイッチ１６のオン期間が間欠的に小刻みとなり、水道凍結防止ヒータ２１の消費電力の大幅低減を図ることができる。特に本例では、模擬発熱抵抗１７に対し直列に接続された整流ダイオードＤを有し、この整流ダイオードＤのアノードと通電表示用発光ダイオードＬ１のアノードとが接続しているため、切り換えスイッチ１５を操作した際、この模擬発熱抵抗１７を介して断線表示用発光ダイオードＬ２に電流が流れるのを整流ダイオードＤで阻止でき、断線のない水道凍結防止ヒータ２１を介してのみ断線表示用発光ダイオードＬ２を点灯させることができる。
【００２２】
（第２実施形態）図２は本発明の第２実施形態に係る水道凍結防止装置を示す回路図である。なお、図２において図１に示す部分と同一部分には同一参照符号を付し、その説明は省略する。
【００２３】
図１に示す第１実施形態に係る水道凍結防止装置１における切り換えスイッチ１５の介挿位置は電源プラグ１１と感温スイッチ１６及び断線表示用発光ダイオードＬ２との中間であったが、本例の水道凍結防止装置２における切り換えスイッチ１５の介挿位置は感温スイッチ１６及び断線表示用発光ダイオードＬ２と通電表示用発光ダイオードＬ１のアノードとの中間となっている。
【００２４】
即ち、本例の水道凍結防止装置２では、自動切り換え式の切り換えスイッチ１５は、電源プラグ１からの第１給電ライン１３と感温スイッチ１６を介して接続された常閉接点端子１５ｂと、電源プラグ１からの第１給電ライン１３と断線表示用発光ダイオードＬ２を介して接続された常開接点端子１５ｃと、表示用発光ダイオードＬ２のアノードと接続された共通接点端子１５ａを持っている。切り換えスイッチ１６を操作して常開接点端子１５ｃと共通接点端子１５ａとの導通状態においては通電表示用発光ダイオードＬ１のアノードと断線表示用発光ダイオードＬ２のアノードが接続している。本例においても第１実施形態と同様な作用効果を奏する。
【００２５】
（第３実施形態）図３は本発明の第３実施形態に係る水道凍結防止装置を示す回路図である。なお、図３において図１に示す部分と同一部分には同一参照符号を付し、その説明は省略する。
【００２６】
本例の水道凍結防止装置３における切り換えスイッチ１５′としては、押しボタンスイッチのブレイク接点Ｂと押しボタンスイッチのメイク接点Ｍとから成る。この切り換えスイッチ１５′においても、無操作時には共通接点端子１５ａと常閉接点端子１５ｂとが接続しているが、操作により共通接点端子１５ａと常開接点端子１５ｂｃが接続し、操作解除すれば自動切り換え式であるので共通接点端子１５ａと常閉接点端子１５ｂとの接続に復帰する。本例においても第１実施形態と同様な作用効果を奏する。
【００２７】
（第４実施形態）図４は本発明の第４実施形態に係る水道凍結防止装置を示す回路図である。なお、図４において図３に示す部分と同一部分には同一参照符号を付し、その説明は省略する。
【００２８】
図３に示す第３実施形態に係る水道凍結防止装置３における切り換えスイッチ１５′の介挿位置は電源プラグ１１と感温スイッチ１６及び断線表示用発光ダイオードＬ２との中間であったが、本例の水道凍結防止装置４における切り換えスイッチ１５′の介挿位置は感温スイッチ１６及び断線表示用発光ダイオードＬ２と通電表示用発光ダイオードＬ１のアノードとの中間となっている。即ち、本例の水道凍結防止装置４では、自動切り換え式の切り換えスイッチ１５′は、電源プラグ１からの第１給電ライン１３と感温スイッチ１６を介して接続された常閉接点端子１５ｂと、電源プラグ１からの第１給電ライン１３と断線表示用発光ダイオードＬ２を介して接続された常開接点端子１５ｃと、通電表示用発光ダイオードＬ１のアノードと接続された共通接点端子１５ａを持っている。本例においても第１実施形態と同様な作用効果を奏する。
【符号の説明】
【００２９】
１，２，３，４…水道凍結防止装置
１０…水道凍結防止ヒータ用節電コントローラ
１１…電源プラグ
１２…雌コネクター
１３…第１の給電ライン
１４…第２の給電ライン
２０…水道凍結防止帯
２１…水道凍結防止ヒータ
２２…雌コネクター
１５，１５′…自動切り換え式の切り換えスイッチ（ｃ接点）
１５ａ…共通接点端子
１５ｂ…常閉接点端子
１５ｃ…常開接点端子
１６…感温スイッチ
Ｄ…整流ダイオード
Ｌ１…通電表示用発光ダイオード
Ｌ２…断線表示用発光ダイオード
Ｒ１，Ｒ２…電流制限抵抗
【図１】
2015014172.tif 000003
【図２】
2015014172.tif 000004
【図３】
2015014172.tif 000005
【図４】
2015014172.tif 000006
【図５】
2015014172.tif 000007